(57)【特許請求の範囲】
【請求項１】
紙幣の入出金処理を行う紙幣処理機において、
機筐正面の入金口から一括投入された複数枚の入金紙幣群を１枚ずつ分離して順次繰り出す入金部と、
入金時、出金時、補充時および回収時に搬送される紙幣を鑑別して送り出す鑑別部と、
入金時および補充時に前記鑑別部で適格と判定された複数の金種紙幣を混合して順次積み重ねて収納すると共に、出金時および回収時に積み重ねて収納された紙幣を１枚ずつ分離して前記鑑別部に順次繰り出す循環式金種混合収納庫と、
入金時および補充時に前記鑑別部で適格と判定された特定の金種紙幣のみを順次積み重ねて収納すると共に、出金時および回収時に積み重ねて収納された紙幣を１枚ずつ分離して前記鑑別部に順次繰り出す循環式特定金種収納庫と、
機筐背面の補充回収口から装填された補充紙幣群を１枚ずつ分離して前記鑑別部に順次繰り出すと共に、前記循環式金種混合収納庫および前記循環式特定金種収納庫に収納された紙幣の回収時に前記鑑別部で適格と判定された紙幣を順次積み重ねて収納する補充回収庫と、
入金時に前記鑑別部で不適格と判定された紙幣または出金時に前記鑑別部で適格と判定された紙幣を順次積み重ねて保留したのち機筐前面の出金口へ一括投出を行う出金部と、
出金時および回収時に前記鑑別部で不適格と判定された紙幣を順次積み重ねて収納する出金リジェクト庫と、
補充時に前記鑑別部で不適格と判定された紙幣を順次積み重ねて収納する補充リジェクト庫と、
を備え、
前記補充回収庫は、出金時に前記循環式金種混合収納庫から繰り出され前記鑑別部で出金不要と判定された金種紙幣を一時的に収納し、前記補充回収庫に一時的に収納された紙幣を出金終了後の処理空き時間中に順次繰り出して前記循環式金種混合収納庫に再度収納させるように構成したことを特徴とする紙幣処理機。
【請求項２】
出金時の前記循環式金種混合収納庫からの収納紙幣の繰り出しは、前記補充回収庫が未収納状態の場合にのみ行うことを特徴とする請求項１記載の紙幣処理機。
【請求項３】
前記循環式金種混合収納庫に収納された紙幣の回収時に、あらかじめ指定された少なくとも１金種の紙幣を前記補充回収庫に収納し、指定された金種以外の紙幣を前記出金リジェクト庫へ収納するように構成したことを特徴とする請求項１記載の紙幣処理機。
【請求項４】
前記循環式金種混合収納庫は第１、第２、第３および第４金種紙幣のうち３種の金種紙幣を混合して収納し、前記循環式特定金種収納庫は前記循環式金種混合収納庫に収納する金種以外の特定の１金種のみを収納するようにしたことを特徴とする請求項１記載の紙幣処理機。
【請求項５】
前記出金リジェクト庫および前記補充リジェクト庫は、前記機筐の背面側に開口可能に設けられて収納された紙幣を回収するための回収口をそれぞれ備えていることを特徴とする請求項１記載の紙幣処理機。
【請求項６】
前記循環式金種混合収納庫および前記循環式特定金種収納庫は、それぞれ入金または紙幣補充時に、下から紙幣を順次積み重ね、また、出金または回収時には、積み重ねられた収納紙幣の上方から１枚ずつ紙幣を順次繰り出すように構成したことを特徴とする請求項１記載の紙幣処理機。
【請求項７】
前記循環式金種混合収納庫および前記循環式特定金種収納庫は、それぞれ既に収納されている収納紙幣の上方に進退可能に設けられ、入金時には前記収納紙幣の上方に突出して入金される紙幣と既に収納されている紙幣とを一時的に区分けし、入金処理が完了した時点で突出した位置から待避して入金された紙幣と既に収納されている紙幣とを一体化する仕切り板を備えていることを特徴とする請求項６記載の紙幣処理機。
【請求項８】
前記補充回収庫は、出金または回収時に、下から紙幣を順次積み重ね、また、前記循環式金種混合収納庫への再収納または紙幣補充時には、積み重ねられた収納紙幣の上方から１枚ずつ紙幣を順次繰り出すように構成したことを特徴とする請求項１記載の紙幣処理機。
【発明の詳細な説明】
【０００１】
【発明の属する技術分野】
本発明は出金処理のために入金処理で既に収納した紙幣を再利用する循環式紙幣収納庫を用いた循環式の紙幣処理機に関し、特に銀行などの金融施設、競馬などの公営競技施設などに設置して紙幣の入出金処理を行う小型の紙幣処理機に関する。
【０００２】
【従来の技術】
銀行などにおける紙幣の自動的な預け入れもしくは払い出しおよび競馬など公営競技場における投票券などの購入や勝券などの払い戻しに際し、紙幣の入出金処理を行う紙幣処理機が利用されている。
【０００３】
ここで、従来の紙幣処理機について図を用いて説明する。
図７は従来の紙幣処理機の概略構成を示す側断面図である。
この図７において、紙幣処理機１０１は、その機筐１０２の利用者側に面する正面に利用者用の紙幣入金口１０３および紙幣出金口１０４を備え、機筐１０２の背面側にはオペレータ用の紙幣補充口１０５、収納紙幣回収口１０６、出金リジェクト紙幣回収口１０７および補充リジェクト紙幣回収口１０８が備えられている。
【０００４】
また、機筐１０２の内部には、紙幣入金口１０３に連絡され紙幣入金口１０３から投入された複数の紙幣を１枚ずつに分離して順次繰り出す入金部１０９、この入金部１０９から繰り出された紙幣を鑑別する鑑別部１１０と、この鑑別部１１０で鑑別された入金紙幣を金種別に順次積み重ねて収納すると共に出金時に入金処理で既に収納した紙幣を１枚ずつ分離して順次繰り出す紙幣用循環式収納庫が備えられている。ここでは、千円を想定する第１金種、二千円を想定する第２金種、五千円を想定する第３金種、および万円を想定する第４金種のための第１金種紙幣用循環式収納庫１１１、第２金種紙幣用循環式収納庫１１２、第３金種紙幣用循環式収納庫１１３および第４金種紙幣用循環式収納庫１１４が設けられている。
【０００５】
また、機筐１０２の背面側には、出金時に鑑別部１１０で不適格と判定された紙幣を収納する出金リジェクト庫１１５を備え、機筐１０２の正面側には、出金時に鑑別部１１０で適格と判定された紙幣を順次積み重ねて一括して紙幣出金口１０４に投出する出金部１１６を備えている。
【０００６】
さらに、第１ないし第４金種紙幣用循環式収納庫１１１，１１２，１１３，１１４への紙幣補充時にオペレータが紙幣補充口１０５から補充した紙幣を１枚ずつ分離して順次繰り出す補充庫１１７と、補充時に鑑別部１１０で不適格と判定された紙幣を収納する補充リジェクト庫１１８とを備えている。また、紙幣処理機１０１に収納されている紙幣の回収時に、第１ないし第４金種紙幣用循環式収納庫１１１，１１２，１１３，１１４から繰り出した紙幣を順次積み重ねて収納する回収庫１１９が備えられている。
【０００７】
このような構成を有する紙幣処理機１０１において、入金処理を行うときには、紙幣入金口１０３から投入された複数の紙幣は、入金部１０９で１枚ずつに分離されて順次繰り出され、鑑別部１１０で順次鑑別される。この鑑別部１１０による鑑別結果に応じて鑑別済みの紙幣を対応する金種の循環式収納庫、すなわち第１金種紙幣用循環式収納庫１１１、第２金種紙幣用循環式収納庫１１２、第３金種紙幣用循環式収納庫１１３および第４金種紙幣用循環式収納庫１１４のいずれか１つに積み重ね収納される。鑑別部１１０にて不適格と判定された紙幣は、出金部１１６へ搬送され、紙幣出金口１０４より出金される。
【０００８】
出金処理の場合には、該当金種の紙幣が１枚ずつ必要枚数分だけ第１ないし第４金種紙幣用循環式収納庫１１１，１１２，１１３，１１４から繰り出され、鑑別部１１０で鑑別された後、適確と判定された紙幣は、出金部１１６へ搬送され、紙幣出金口１０４より出金される。鑑別部１１０にて不適格と判定された紙幣は、出金リジェクト庫１１５へ搬送され、そこに積み重ね収納される。出金リジェクト庫１１５に収納された紙幣は、オペレータによって出金リジェクト紙幣回収口１０７より回収される。
【０００９】
第１ないし第４金種紙幣用循環式収納庫１１１，１１２，１１３，１１４に紙幣を補充する場合には、オペレータによって紙幣補充口１０５より補充庫１１７に補充されていた紙幣が１枚ずつ繰り出されて鑑別部１１０で鑑別され、該当する金種の第１ないし第４金種紙幣用循環式収納庫１１１，１１２，１１３，１１４にそれぞれ搬送されて積み重ね収納される。鑑別部１１０にて不適格と判定された紙幣は、補充リジェクト庫１１８へ搬送され、そこに積み重ね収納される。補充リジェクト庫１１８に収納された紙幣は、オペレータによって補充リジェクト紙幣回収口１０８より回収される。
【００１０】
そして、第１ないし第４金種紙幣用循環式収納庫１１１，１１２，１１３，１１４に収納されている紙幣を回収するときには、それぞれに収納されている紙幣が１枚ずつ繰り出され、回収庫１１９へ搬送され、そこに積み重ね収納される。回収庫１１９に収納された紙幣は、オペレータによって収納紙幣回収口１０６より回収される。
【００１１】
【発明が解決しようとする課題】
しかしながら、従来の紙幣処理機においては、金種紙幣の種類数に対応した個数の循環式収納庫を備えており、さらにオペレータに面した機筐の背面側には補充庫、回収庫、出金リジェクト庫および補充リジェクト庫を縦方向に並べなければならず、紙幣処理機が大型かつ高価なものになるという問題点があった。
【００１２】
本発明はこのような点に鑑みてなされたものであり、紙幣を収納する循環式収納庫、補充庫、回収庫の個数を低減し、小型化、低価格化した紙幣処理機を提供することを目的とする。
【００１３】
【課題を解決するための手段】
本発明では上記問題を解決するために、紙幣の入出金処理を行う循環式紙幣処理機において、機筐正面の入金口から一括投入された複数枚の入金紙幣群を１枚ずつ分離して順次繰り出す入金部と、入金時、出金時、補充時および回収時に搬送される紙幣を鑑別して送り出す鑑別部と、入金時および補充時に前記鑑別部で適格と判定された複数の金種紙幣を混合して順次積み重ねて収納すると共に、出金時および回収時に積み重ねて収納された紙幣を１枚ずつ分離して前記鑑別部に順次繰り出す循環式金種混合収納庫と、入金時および補充時に前記鑑別部で適格と判定された特定の金種紙幣のみを順次積み重ねて収納すると共に、出金時および回収時に積み重ねて収納された紙幣を１枚ずつ分離して前記鑑別部に順次繰り出す循環式特定金種収納庫と、機筐背面の補充回収口から装填された補充紙幣群を１枚ずつ分離して前記鑑別部に順次繰り出すと共に、前記循環式金種混合収納庫および前記循環式特定金種収納庫に収納された紙幣の回収時に前記鑑別部で適格と判定された紙幣を順次積み重ねて収納する補充回収庫と、入金時に前記鑑別部で不適格と判定された紙幣または出金時に前記鑑別部で適格と判定された紙幣を順次積み重ねて保留したのち機筐前面の出金口へ一括投出を行う出金部と、出金時および回収時に前記鑑別部で不適格と判定された紙幣を順次積み重ねて収納する出金リジェクト庫と、補充時に前記鑑別部で不適格と判定された紙幣を順次積み重ねて収納する補充リジェクト庫と、を備え、前記補充回収庫は、出金時に前記循環式金種混合収納庫から繰り出され前記鑑別部で出金不要と判定された金種紙幣を一時的に収納し、前記補充回収庫に一時的に収納された紙幣を出金終了後の処理空き時間中に順次繰り出して前記循環式金種混合収納庫に再度収納させるように構成したことを特徴とする紙幣処理機が提供される。
【００１４】
このような紙幣処理機によれば、補充回収庫が紙幣の補充および回収時に使用する収納庫を兼用し、循環式金種混合収納庫が複数金種の収納庫を兼用するように構成した。これにより、補充庫、回収庫、金種別の収納庫を備えた場合と同じ機能を持ちながら、収納庫の個数を低減させることができ、紙幣処理機を小型化、低価格化することができる。
【００１５】
また、本発明によれば、補充回収庫は、出金時に循環式金種混合収納庫から繰り出され鑑別部で出金不要と判定された金種紙幣を一時的に収納し、補充回収庫に一時的に収納された紙幣を出金終了後の処理空き時間中に順次繰り出して循環式金種混合収納庫に再度収納させる構成にした。これにより、循環式金種混合収納庫に収納されている出金用紙幣の減少を抑え、かつオペレータによる紙幣補充回数を低減することができる。
【００１６】
また、本発明によれば、出金時の循環式金種混合収納庫からの収納紙幣の繰り出しは、補充回収庫が未収納状態の場合にのみ行うように構成した。これにより、補充回収庫に収納されている補充紙幣または回収紙幣と出金不要と判定された紙幣との混同を防ぐことができる。
【００１７】
また、本発明では、循環式金種混合収納庫に収納された紙幣の回収時に、あらかじめ指定された少なくとも１金種の紙幣を補充回収庫に収納し、指定された金種以外の紙幣を出金リジェクト庫へ収納するように構成した。これにより、補充回収庫から、循環式金種混合収納庫に収納されていた紙幣の中の指定金種の紙幣のみを回収することができる。
【００１８】
【発明の実施の形態】
以下、本発明の実施の形態を図面を参照して詳細に説明する。
図１は本発明の紙幣処理機の概略構成を示す側断面図である。
【００１９】
この図１において、図の右側は、利用者が操作する紙幣処理機１の正面側であり、左側はオペレータが操作する背面側になっている。紙幣処理機１の正面側の機筐２には、紙幣入金口３および紙幣出金口４が備えられ、これらに対応する機筐２の内部には入金部５および出金部６が備えられている。
【００２０】
また、紙幣処理機１の背面側には、オペレータが操作する出金リジェクト紙幣回収口７を有する出金リジェクト庫８と、オペレータが操作する紙幣補充回収口９を有する補充回収庫１０と、オペレータが操作する補充リジェクト紙幣回収口１１を有する補充リジェクト庫１２とを備えている。
【００２１】
そして、紙幣処理機１の機筐２の内部には、紙幣の鑑別を行う鑑別部１３と、この鑑別部１３で適格と判定された入金紙幣および補充紙幣のうち、第１ないし第３金種の紙幣を順次積み重ねて金種混合状態で収納可能な循環式金種混合収納庫１４と、鑑別部１３で適格と判定された入金紙幣および補充紙幣のうち、第４金種の紙幣のみを順次積み重ねて収納可能な循環式特定金種収納庫１５とを備えている。なお、本実施の形態では、第１金種として千円を想定し、第２金種として二千円を想定し、第３金種として五千円を想定し、第４金種としては万円を想定している。
【００２２】
入金部５は、紙幣入金口３との境界部に図示を省略する駆動手段により開閉可能に設けられた入金口シャッタ１６を備え、さらに、内部には紙幣入金口３から投入された紙幣を取り込む束搬送部１７と、取り込んだ紙幣を１枚ずつに分離して順次繰り出す分離繰り出し部１８とを備えている。
【００２３】
出金部６は、紙幣出金口４との境界部に図示を省略する駆動手段により開閉可能に設けられた出金口シャッタ１９を備え、さらに、内部には図示を省略する駆動手段によって昇降自在に支持され、かつ出金すべき紙幣として搬入されてきて積み重ねられている紙幣を紙幣出金口４に搬送する搬送ステージ２０を備えている。
【００２４】
出金リジェクト庫８は、出金時に鑑別部１３で不適格と判定された紙幣を収納する。
補充回収庫１０は、オペレータが補充した補充紙幣および鑑別部１３で適格と判定された回収紙幣を金種に係わりなく積み重ねて収納するもので、この補充回収庫１０には、オペレータが補充した紙幣を１枚ずつ分離して順次繰り出す分離繰り出し部２１と、図示を省略する駆動手段によって昇降自在に支持されていて補充または回収された収納紙幣を載置するステージ２２とが設けられている。
【００２５】
補充リジェクト庫１２は、紙幣補充時に補充回収庫１０から繰り出された補充紙幣のうち、鑑別部１３で不適格と判定された紙幣を収納する。
循環式金種混合収納庫１４には、出金時に入金処理で既に収納した紙幣を１枚ずつ分離して順次繰り出す分離繰り出し部２３と、収納紙幣を載置し図示を省略する駆動手段によって昇降可能に支持されたステージ２４と、入金時に図示を省略する駆動手段によって収納済み紙幣の上方に突出することができるよう揺動自在に支持された仕切り板２５とが設けられている。
【００２６】
循環式特定金種収納庫１５には、出金時に入金処理で既に収納した紙幣を１枚ずつ分離して順次繰り出す分離繰り出し部２６と、収納紙幣を載置し図示を省略する駆動手段によって昇降可能に支持されたステージ２７と、入金時に図示を省略する駆動手段によって収納済み紙幣の上方に突出することができるよう揺動自在に支持された仕切り板２８とが設けられている。
【００２７】
さらに、機筐２の内部には、入金部５、出金部６、出金リジェクト庫８、補充回収庫１０、補充リジェクト庫１２、鑑別部１３、循環式金種混合収納庫１４および循環式特定金種収納庫１５の間で紙幣を搬送する搬送部を備え、その搬送部で搬送される紙幣の搬送路上には、搬送方向の切り換えを行うゲート２９，３０，３１，３２，３３，３４，３５が設けられている。
【００２８】
次に、紙幣処理機１の各処理動作について説明する。紙幣処理機１の処理動作としては、入金処理、出金処理、利用者およびオペレータによる処理以外の処理空き時間に行う再収納動作、補充処理および回収処理があり、以下、これらの処理動作ごとに図面を用いて順次説明する。
【００２９】
図２は紙幣処理機の入金処理時の動作を説明する説明図である。この図２において、図１に示した構成要素と同じ要素には、同じ符号を付してその詳細な説明は省略する。
【００３０】
まず、入金処理が開始されると、入金口シャッタ１６が開き紙幣入金口３が開口して紙幣が投入可能な状態となる。利用者が紙幣入金口３に重積状態の入金紙幣Ｐ１を投入すると、束搬送部１７が下降動作して入金紙幣Ｐ１を挟み込み、分離繰り出し部１８に搬送する。束搬送部１７による入金紙幣Ｐ１の搬送が完了すると、入金口シャッタ１６が閉り、それ以降の紙幣入金口３からの誤投入を防止する。
【００３１】
次に、分離繰り出し部１８が動作し、入金紙幣Ｐ１を１枚ずつに分離して矢印Ａ１方向に順次繰り出しを行う。入金部５から繰り出された紙幣は、鑑別部１３に搬送される。搬送された紙幣が鑑別部１３により鑑別された結果、紙幣が適格と判定され、かつその金種が第１金種紙幣、第２金種紙幣および第３金種紙幣の場合は、該当の紙幣はゲート２９により矢印Ａ２方向へ振り分けられ、循環式金種混合収納庫１４に搬送される。このとき、循環式金種混合収納庫１４においては、ステージ２４を所定位置に制御し、収納済み紙幣Ｐ２０の上方に新たに入金される紙幣Ｐ２を積み重ねるための空間を形成し、さらに、収納済み紙幣Ｐ２０の上方に、収納済み紙幣Ｐ２０と新たに入金される紙幣Ｐ２とを区分けするための仕切り板２５を突出させた状態にしてから、ゲート２９によって振り分けられた紙幣を順次受け入れるようにする。これにより、仕切り板２５の上に入金された紙幣Ｐ２が順次積み重ねて収納される。
【００３２】
鑑別部１３による鑑別の結果、紙幣が適格と判定され、かつその金種が第４金種紙幣の場合には、該当の紙幣をゲート３０により矢印Ａ３方向へ振り分け、循環式特定金種収納庫１５にて順次積み重ねて収納される。このとき、循環式特定金種収納庫１５においては、循環式金種混合収納庫１４と同様に、ステージ２７を所定位置に制御し、収納済み紙幣Ｐ３０の上方に新たに入金される紙幣Ｐ３を積み重ねるための空間を形成し、さらに、収納済み紙幣Ｐ３０の上方に仕切り板２８を突出させ、収納済み紙幣Ｐ３０と新たに入金される紙幣Ｐ３との区分けがされるようにしている。
【００３３】
さらに、鑑別部１３による鑑別の結果、紙幣が不適格と判定された場合は、ゲート３１、ゲート３５およびゲート３２により該当の紙幣を矢印Ａ４方向へ振り分け、出金部６に順次積み重ねて入金リジェクト紙幣Ｐ４として保留する。
【００３４】
入金部５において、入金紙幣Ｐ１の繰り出しが完了すると、出金部６に入金リジェクト紙幣Ｐ４が保留されている場合は、出金口シャッタ１９を開き、搬送ステージ２０を上昇動作させて入金リジェクト紙幣Ｐ４を挟み込み、紙幣出金口４に向かって入金リジェクト紙幣Ｐ４を搬送し、利用者に返却する。
【００３５】
入金動作が完了し、利用者によって入金の確認がされると、循環式金種混合収納庫１４および循環式特定金種収納庫１５のそれぞれの仕切り板２５，２８の退避動作を行い、新たに入金された紙幣Ｐ２，Ｐ３を収納済み紙幣Ｐ２０，Ｐ３０とそれぞれ一体化して、入金処理を完了する。
【００３６】
図３は紙幣処理機の出金処理時の動作を説明する説明図である。この図３において、図１に示した構成要素と同じ要素には、同じ符号を付してその詳細な説明は省略する。
【００３７】
まず、紙幣処理機１の出金処理において出金金額が指定されると、その金額に基いて各金種紙幣の所要出金枚数を計算し、出金処理を開始する。
第４金種紙幣の出金がある場合には、循環式特定金種収納庫１５の仕切り板２８を退避させ、次にステージ２７を上昇させて収納済み紙幣Ｐ３０を分離繰り出し部２６に押圧する。その後、分離繰り出し部２６を動作して、紙幣Ｐ３０を１枚ずつに分離して矢印Ｂ１方向に順次繰り出しを行う。繰り出された紙幣は、ゲート３０、ゲート２９を通過して鑑別部１３に搬送される。搬送された紙幣が鑑別部１３により鑑別された結果、紙幣が適格と判定された場合は、該当の紙幣Ｐ５をゲート３２により矢印Ｂ３方向へ振り分け、出金部６にて順次積み重ねて保留する。
【００３８】
また、搬送された紙幣が鑑別部１３により鑑別された結果、紙幣が不適格と判定された場合には、該当の紙幣Ｐ６をゲート３２により矢印Ｂ４方向へ振り分け、出金リジェクト庫８にて順次積み重ねて収納する。この出金リジェクト庫８に収納された出金リジェクト紙幣Ｐ６は、オペレータにより出金リジェクト紙幣回収口７から回収される。
【００３９】
出金部６に指定枚数の第４金種紙幣を保留し終わると、次に第１金種紙幣または第２金種紙幣または第３金種紙幣の出金がある場合には、循環式金種混合収納庫１４の仕切り板２５を退避させ、次にステージ２４を上昇させて収納済み紙幣Ｐ２０を分離繰り出し部２３に押圧する。その後、分離繰り出し部２３を動作して、紙幣Ｐ２０を１枚ずつに分離して矢印Ｂ２方向に順次繰り出しを行う。繰り出された紙幣は、ゲート２９を通過して鑑別部１３に搬送される。
【００４０】
搬送された紙幣が鑑別部１３により鑑別された結果、紙幣が適格と判定され、かつ出金に指定された金種紙幣の場合は、該当の紙幣Ｐ５は、ゲート３２により矢印Ｂ３方向へ振り分けられ、出金部６にて順次積み重ねて保留される。
【００４１】
また、鑑別部１３に搬送された紙幣を鑑別した結果、紙幣が適格と判定され、かつ出金に指定されていない金種紙幣Ｐ７の場合には、該当の紙幣Ｐ７はゲート３５により矢印Ｂ５方向へ振り分けられ、補充回収庫１０に収納される。このとき、補充回収庫１０においては、ステージ２２を所定位置に制御し、ステージ２２の上方に収納される紙幣Ｐ７を積み重ねるための空間を形成した状態にしている。
【００４２】
また、鑑別部１３に搬送された紙幣を鑑別した結果、紙幣が不適格と判定された場合には、該当の紙幣Ｐ６はゲート３２により矢印Ｂ４方向へ振り分けられ、出金リジェクト庫８にて順次積み重ねて収納される。
【００４３】
これらの出金動作は、第１金種紙幣、第２金種紙幣および第３金種紙幣について、各金種が指定枚数に達するまで繰り返し行なわれる。出金部６に指定金額の紙幣の保留が完了すると、出金口シャッタ１９を開き、搬送ステージ２０を上昇動作させて出金紙幣Ｐ５を挟み込み、紙幣出金口４に向かって出金紙幣Ｐ５を搬送し、利用者への出金を行う。利用者による出金紙幣Ｐ５の受け取りが終わると、出金口シャッタ１９を閉じ、出金処理を完了する。
【００４４】
なお、循環式金種混合収納庫１４からの収納紙幣の繰り出しは、補充回収庫１０が未収状態にあることを確認後に行なわれる。これにより、補充処理時に装填された補充紙幣または回収処理時に収納された回収紙幣と出金不要と判定されて一時的に補充回収庫１０に収納される紙幣との混同を防止することができる。したがって、特に、循環式金種混合収納庫１４からの出金処理は、後述する補充処理および回収処理が完了している場合にのみ開始される。
【００４５】
以上の出金処理において、循環式金種混合収納庫１４から繰り出された紙幣が鑑別部１３にて適格と判定され、かつ出金に指定されていない金種である場合、その紙幣Ｐ７は、補充回収庫１０に収納されている。この紙幣Ｐ７は、出金に利用されなかっただけであるため、これを循環式金種混合収納庫１４に戻しておく必要がある。次に、この循環式金種混合収納庫１４への再収納動作について説明する。
【００４６】
図４は出金に利用されなかった紙幣の再収納動作を説明する説明図である。この図４において、図１に示した構成要素と同じ要素には、同じ符号を付してその詳細な説明は省略する。
【００４７】
この出金に利用されずに補充回収庫１０に一時的に収納されていた第１ないし第３金種の紙幣Ｐ７の循環式金種混合収納庫１４への再収納動作は、たとえば出金処理が終了した後などの処理空き時間中に実行される。
【００４８】
まず、補充回収庫１０に収納された紙幣Ｐ７を、補充回収庫１０のステージ２２を上昇させて分離繰り出し部２１に押圧する。その後、分離繰り出し部２１を動作して、紙幣Ｐ７を１枚ずつに分離してゲート３５により矢印Ｃ１方向に順次繰り出す。繰り出された紙幣は、ゲート３４、ゲート３３およびゲート２９により矢印Ｃ２方向へ振り分けられ、循環式金種混合収納庫１４に収納される。このように循環式金種混合収納庫１４への再収納動作を行うことにより、循環式金種混合収納庫１４内の出金用紙幣の減少を抑えることができる。
【００４９】
図５は紙幣処理機の補充処理時の動作を説明する説明図である。この図５において、図１に示した構成要素と同じ要素には、同じ符号を付してその詳細な説明は省略する。
【００５０】
紙幣処理機１の補充処理のときには、まず、オペレータにより紙幣補充回収口９から補充回収庫１０のステージ２２上に補充紙幣Ｐ９がセットされる。その後、補充回収庫１０のステージ２２が上昇し、補充紙幣Ｐ９が分離繰り出し部２１に押圧されると、分離繰り出し部２１が動作し、補充紙幣Ｐ９が１枚ずつに分離されてゲート３５により矢印Ｄ１方向に順次繰り出される。補充回収庫１０から繰り出された紙幣は、鑑別部１３に搬送される。
【００５１】
搬送された紙幣が鑑別部１３により鑑別された結果、紙幣が適格と判定され、かつその金種が第１金種紙幣、第２金種紙幣または第３金種紙幣の場合には、該当の紙幣Ｐ１０はゲート２９により矢印Ｄ２方向へ振り分けられ、循環式金種混合収納庫１４にて順次積み重ねて収納される。
【００５２】
また、紙幣の金種が第４金種紙幣の場合は、該当の紙幣Ｐ１１はゲート３０により矢印Ｄ３方向へ振り分けられ、循環式特定金種収納庫１５にて順次積み重ねて収納される。
【００５３】
さらに、鑑別部１３による鑑別の結果、紙幣が不適格と判定された場合は、ゲート３１により該当の紙幣は矢印Ｄ４方向へ振り分けられ、補充リジェクト庫１２に収納される。補充リジェクト庫１２に収納された補充リジェクト紙幣Ｐ１２は、オペレータにより補充リジェクト紙幣回収口１１から回収される。
【００５４】
図６は紙幣処理機の回収処理時の動作を説明する説明図である。この図６において、図１に示した構成要素と同じ要素には、同じ符号を付してその詳細な説明は省略する。
【００５５】
まず、第４金種紙幣の回収をする場合は、循環式特定金種収納庫１５の仕切り板２８を退避させ、次にステージ２７を上昇させて収納済み紙幣Ｐ３０を分離繰り出し部２６に押圧する。その後、分離繰り出し部２６を動作して、紙幣Ｐ３０を１枚ずつに分離して矢印Ｅ１方向に順次繰り出す。繰り出された紙幣は、ゲート３０、ゲート２９を通過して鑑別部１３に搬送される。鑑別部１３に搬送された紙幣を鑑別した結果、紙幣が適格と判定された場合は、該当の紙幣Ｐ１３をゲート３５により矢印Ｅ３方向へ振り分け、補充回収庫１０にて順次積み重ねて収納する。
【００５６】
また、鑑別部１３に搬送された紙幣を鑑別した結果、紙幣が不適格と判定された場合は、該当の紙幣Ｐ１４をゲート３２により矢印Ｅ４方向へ振り分け、出金リジェクト庫８に順次積み重ねて収納する。
【００５７】
これにより、循環式特定金種収納庫１５に収納されていた第４金種紙幣をその適格性に応じて補充回収庫１０および出金リジェクト庫８に振り分け収納することができる。補充回収庫１０および出金リジェクト庫８への収納が完了すると、これらに収納された紙幣Ｐ１３，Ｐ１４は、それぞれオペレータによって紙幣補充回収口９および出金リジェクト紙幣回収口７から回収される。
【００５８】
次に、循環式金種混合収納庫１４に収納されている第１ないし第３金種の紙幣の回収について説明する。なお、循環式金種混合収納庫１４からの回収は、回収紙幣を収納しておく場所が補充回収庫１０および出金リジェクト庫８の２つしかなく、金種別かつ紙幣の適格性に応じた振り分けができないため、本実施の形態では、流通量の最も多いと思われる千円紙幣を想定した第１金種紙幣を補充回収庫１０にて回収し、第２金種紙幣および第３金種紙幣と不適格と判定された紙幣とを出金リジェクト庫８にて回収するようにしている。もちろん、この補充回収庫１０および出金リジェクト庫８の使い方は、これに限定されるものではなく、設定により適宜変更することが可能である。たとえば、以下の説明では、第１金種紙幣を指定して、補充回収庫１０で回収するが、金種の指定がない場合は、適格と判定された３金種の紙幣を補充回収庫１０で回収し、適格と判定された紙幣を出金リジェクト庫８にて回収するようにしてもよい。
【００５９】
循環式金種混合収納庫１４から第１金種紙幣または第２金種紙幣または第３金種紙幣の回収をする場合は、循環式金種混合収納庫１４の仕切り板２５を退避させ、次にステージ２４を上昇させて収納済み紙幣Ｐ２０を分離繰り出し部２３に押圧する。その後、分離繰り出し部２３を動作して、紙幣Ｐ２０を１枚ずつに分離して矢印Ｅ２方向に順次繰り出す。繰り出された紙幣は、ゲート２９を通過して鑑別部１３に搬送される。
【００６０】
鑑別部１３に搬送された紙幣を鑑別した結果、紙幣が第１金種であって適格と判定された場合は、該当の紙幣Ｐ１３をゲート３５により矢印Ｅ３方向へ振り分け、補充回収庫１０にて順次積み重ねて収納する。
【００６１】
鑑別部１３に搬送された紙幣を鑑別した結果、紙幣が第２金種または第３金種である場合、または不適格と判定された場合は、該当の紙幣Ｐ１４をゲート３２により矢印Ｅ４方向へ振り分け、出金リジェクト庫８にて順次積み重ねて収納する。
【００６２】
このようにして第１ないし第３金種の紙幣の回収が完了すると、補充回収庫１０および出金リジェクト庫８に収納された紙幣Ｐ１３，Ｐ１４は、それぞれオペレータによって紙幣補充回収口９および出金リジェクト紙幣回収口７から回収される。
【００６３】
【発明の効果】
以上説明したように、本発明では、複数の金種紙幣を混合して収納可能な循環式金種混合収納庫と、補充と回収とを兼ねる補充回収庫とを備えたことにより、金種紙幣の種類数に対応した個数の循環式収納庫や、補充庫、回収庫を別々に備える必要がないため、紙幣処理機を小型化かつ低価格化することができる。
【００６４】
また、出金処理時において、循環式金種混合収納庫から繰り出した出金に不要な金種紙幣を補充回収庫に一時的に収納し、出金終了後などの処理空き時間中に循環式金種混合収納庫に再度収納させるようにしたことにより、循環式金種混合収納庫に収納されている出金用紙幣の減少を抑えることができると共にオペレータによる紙幣補充回数を低減することができる。
【図面の簡単な説明】
【図１】本発明の紙幣処理機の概略構成を示す側断面図である。
【図２】紙幣処理機の入金処理時の動作を説明する説明図である。
【図３】紙幣処理機の出金処理時の動作を説明する説明図である。
【図４】出金に利用されなかった紙幣の再収納動作を説明する説明図である。
【図５】紙幣処理機の補充処理時の動作を説明する説明図である。
【図６】紙幣処理機の回収処理時の動作を説明する説明図である。
【図７】従来の紙幣処理機の概略構成を示す側断面図である。
【符号の説明】
１  紙幣処理機
２  機筐
３  紙幣入金口
４  紙幣出金口
５  入金部
６  出金部
７  出金リジェクト紙幣回収口
８  出金リジェクト庫
９  紙幣補充回収口
１０  補充回収庫
１１  補充リジェクト紙幣回収口
１２  補充リジェクト庫
１３  鑑別部
１４  循環式金種混合収納庫
１５  循環式特定金種収納庫
１６  入金口シャッタ
１７  束搬送部
１８  分離繰り出し部
１９  出金口シャッタ
２０  搬送ステージ
２１  分離繰り出し部
２２  ステージ
２３  分離繰り出し部
２４  ステージ
２５  仕切り板
２６  分離繰り出し部
２７  ステージ
２８  仕切り板
２９，３０，３１，３２，３３，３４，３５  ゲート
【図１】
0003918406.tif 000002
【図２】
0003918406.tif 000003
【図３】
0003918406.tif 000004
【図４】
0003918406.tif 000005
【図５】
0003918406.tif 000006
【図６】
0003918406.tif 000007
【図７】
0003918406.tif 000008